(57)【要約】【課題】光ケーブルを構成する複数の光ファイバの光電変換素子までの光路長を揃えることができる光モジュールおよび光モジュールの組立方法を提供する。【解決手段】複数の光ファイバ２２は、光ケーブル保持部３５側の光ファイバテープ心線２１における並列方向と、単心に分離された光ファイバ心線２２の端部２２１の並列方向とが平行となるように配置されている。このため、テープ状に一体化された複数の光ファイバ２２の端部２２１を切り離して光ファイバ固定部４２に固定する際に、光ファイバ２２が上下左右にずれて捩れるのを防止できるので、各光ファイバ２２間で光路長がばらつくのを防ぐことができる。【選択図】図４
2013137397.tif 000002
【特許請求の範囲】
【請求項１】
光ケーブルの端部にコネクタ部が設けられた光モジュールであって、
前記光ケーブルは、
複数の光ファイバがテープ状に一体化された光ファイバテープ心線と、
前記複数の光ファイバの周囲に設けられた外被と、
を備え、
前記コネクタ部は、
内部空間を有するハウジングと、
前記光ケーブルを保持するとともに前記ハウジングに固定される光ケーブル保持部と、
前記複数の光ファイバの端部が前記光ファイバテープ心線から単心に分離された状態で光学的に接続される光素子と、
を備え、
前記複数の光ファイバは、前記光ケーブル保持部側の前記光ファイバテープ心線における並列方向と、単心に分離された前記端部の並列方向とが平行となるように配置されていることを特徴とする光モジュール。
【請求項２】
前記並列方向における前記複数の光ファイバのピッチは、前記光ファイバテープ心線と、単心に分離された前記端部とで異なることを特徴とする請求項１に記載の光モジュール。
【請求項３】
前記内部空間には、前記光素子が実装された基板が設けられ、
前記複数の光ファイバの前記並列方向は、前記基板における前記光素子の実装面と平行であることを特徴とする請求項１または２に記載の光モジュール。
【請求項４】
前記複数の光ファイバは、前記光ファイバテープ心線の部分の並列方向が前記端部の並列方向と平行となるように前記光ケーブルが前記光ケーブル保持部に保持された状態で、前記光ケーブル保持部に接着固定されていることを特徴とする請求項１から３のいずれか一項に記載の光モジュール。
【請求項５】
単心に分離された前記複数の光ファイバの前記端部が固定されるとともに前記光素子と係合される光ファイバ固定部をさらに備え、前記光ファイバ固定部の端部において、前記複数の光ファイバの前記端部位置が前記複数の光ファイバの前記並列方向に揃っていることを特徴とする請求項１から４のいずれか一項に記載の光モジュール。
【請求項６】
複数の光ファイバがテープ状に一体化された光ファイバテープ心線と、前記光ファイバテープ心線の周囲に設けられた外被と、を有する光ケーブルと、
内部空間を有するハウジングと、前記光ケーブルを保持するとともに前記ハウジングに固定される光ケーブル保持部と、前記複数の光ファイバの端部が前記光ファイバテープ心線から単心に分離された状態で光学的に接続される光素子と、を有するコネクタ部と、
を備える光モジュールの組立方法であって、
前記光ファイバテープ心線における前記複数の光ファイバの並列方向が一の方向となるように前記光ケーブル保持部で前記光ケーブルを保持し、
前記複数の光ファイバの端部を前記光ファイバテープ心線から単心に分離された状態とし、
前記複数の光ファイバの単心に分離された前記端部の並列方向が前記光ファイバテープ心線の並列方向と平行となるように、前記端部を前記光素子と光学的に接続することを特徴とする光モジュールの組立方法。
【発明の詳細な説明】
【技術分野】
【０００１】
本発明は、光モジュールおよび光モジュールの組立方法に関する。
【背景技術】
【０００２】
光ケーブルによって伝送される光信号を光電変換する光モジュールでは、ケーブルの外被が取り除かれて露出された光ファイバの端部がコネクタなどの固定部に固定され、この固定部が光モジュール内の光電変換素子（受発光素子）と対向配置されることによって、光ファイバと光電変換素子とが光学的に接続されている（例えば特許文献１〜３参照）。
【先行技術文献】
【特許文献】
【０００３】
【特許文献１】特開２０１１−１１２８９８号公報
【特許文献２】特開２０１０−２３７６４２号公報
【特許文献３】特開２０１１−４８０７２号公報
【発明の概要】
【発明が解決しようとする課題】
【０００４】
ところで、光ケーブルが複数の光ファイバを含む場合は、光ファイバの光電変換素子までの光路長を各光ファイバ間で揃えることが好ましい。特に、複数の光ファイバがテープ状に一体化された光ファイバテープ心線では、光ファイバテープ心線の端部側をテープ状から単心に分離してコネクタ内の固定部に配策して固定するまでに、各光ファイバの端部が上下左右にずれて固定されるおそれがある。
これにより、各光ファイバ間で光電変換素子までの光路長にばらつきが生じることがあった。
【０００５】
本発明の目的は、光ケーブルを構成する複数の光ファイバの光電変換素子までの光路長を揃えることができる光モジュールおよび光モジュールの組立方法を提供することにある。
【課題を解決するための手段】
【０００６】
上記課題を解決することのできる本発明の光モジュールは、光ケーブルの端部にコネクタ部が設けられた光モジュールであって、前記光ケーブルは、複数の光ファイバがテープ状に一体化された光ファイバテープ心線と、前記複数の光ファイバの周囲に設けられた外被と、を備え、コネクタ部は、内部空間を有するハウジングと、前記光ケーブルを保持するとともに前記ハウジングに固定される光ケーブル保持部と、前記複数の光ファイバの端部が前記光ファイバテープ心線から単心に分離された状態で光学的に接続される光素子と、を備え、前記複数の光ファイバは、前記光ケーブル保持部側の前記光ファイバテープ心線における並列方向と、単心に分離された前記端部の並列方向とが平行となるように配置されていることを特徴とする。
【０００７】
また、本発明の光モジュールにおいて、前記並列方向における前記複数の光ファイバのピッチは、前記光ファイバテープ心線と、単心に分離された前記端部とで異なることが好ましい。
【０００８】
また、本発明の光モジュールにおいて、前記内部空間には、前記光素子が実装された基板が設けられ、前記複数の光ファイバの前記並列方向は、前記基板における前記光素子の実装面と平行であることが好ましい。
【０００９】
また、本発明の光モジュールにおいて、前記複数の光ファイバは、前記光ファイバテープ心線の部分の並列方向が前記端部の並列方向と平行となるように前記光ケーブルが前記光ケーブル保持部に保持された状態で、前記光ケーブル保持部に接着固定されていることが好ましい。
【００１０】
また、本発明の光モジュールにおいて、単心に分離された前記複数の光ファイバの前記端部が固定されるとともに前記光素子と係合される光ファイバ固定部をさらに備え、光ファイバ固定部の端部において、複数の光ファイバの端部位置が複数の光ファイバの並列方向に揃っていることが好ましい。
【００１１】
さらに、上記課題を解決することのできる本発明の光モジュールの組立方法では、複数の光ファイバがテープ状に一体化された光ファイバテープ心線と、前記光ファイバテープ心線の周囲に設けられた外被と、を有する光ケーブルと、内部空間を有するハウジングと、前記光ケーブルを保持するとともに前記ハウジングに固定される光ケーブル保持部と、前記複数の光ファイバの端部が前記光ファイバテープ心線から単心に分離された状態で光学的に接続される光素子と、を有するコネクタ部と、を備える光モジュールの組立方法であって、前記光ファイバテープ心線における前記複数の光ファイバの並列方向が一の方向となるように前記光ケーブル保持部で前記光ケーブルを保持し、前記複数の光ファイバの端部を前記光ファイバテープ心線から単心に分離された状態とし、前記複数の光ファイバの単心に分離された前記端部の並列方向が前記光ファイバテープ心線の並列方向と平行となるように、前記端部を前記光素子と光学的に接続することを特徴とする。
【発明の効果】
【００１２】
本発明の光モジュールおよび光モジュールの組立方法によれば、テープ状に一体化された複数の光ファイバの先端部を切り離して光ファイバ固定部に固定する際に、光ファイバに上下左右のずれによる捩れが生じにくいので、各光ファイバ間で光路長がばらつくのを防ぐことができる。
【図面の簡単な説明】
【００１３】
【図１】本発明の実施形態に係る光モジュールの斜視図である。
【図２】光ケーブルの断面図である。
【図３】コネクタモジュールの分解斜視図である。
【図４】光モジュールの長手方向に沿った断面図である。
【図５】光ケーブルとコネクタモジュールの接続部分の断面図である。
【図６】図５に示すＶＩ−ＶＩ断面矢視図である。
【図７】（Ａ）は光ケーブルとコネクタモジュールの接続部分の平面図であり、（Ｂ）は回路基板の側面図である。
【発明を実施するための形態】
【００１４】
以下、本発明に係る光モジュールおよび光モジュールの組立方法の実施の形態の例を、図面を参照して説明する。
【００１５】
図１に示すように、本実施形態に係る光モジュール１０は、光ケーブル２０と、光ケーブル２０の端部に取り付けられるコネクタモジュール（コネクタ部）３０とを有する。
この光モジュール１０は、光通信技術などにおいて信号（データ）の伝送に用いることができ、接続先のパソコンなどといった電子機器に電気的に接続され、入出力される電気信号を光信号に変換して光信号を伝送するものである。
【００１６】
図１および図２に示すように、光ケーブル２０は、その横断面で見た中央に、光ファイバテープ心線２１を有する。光ファイバテープ心線２１は、複数（本例では４本）の光ファイバ心線（光ファイバ）２２を平面上に並列させて被覆樹脂でテープ状に一体化されたものである。光ファイバテープ心線２１はインナーチューブ２３の内側に収容されている。
インナーチューブ２３の周囲には抗張力繊維２４１の束を沿わせてなる介在層２４が設けられている。介在層２４の外周には複数本の金属素線からなる金属層２５が設けられている。金属層２５の外周には絶縁樹脂からなる外被２６が設けられている。
【００１７】
光ファイバ心線２２は、コアとクラッドが石英ガラスである光ファイバ（ＡＧＦ：All Glass Fiber）、クラッドが硬質プラスチックからなる光ファイバ（ＨＰＣＦ：Hard Plastic Clad Fiber）、等を用いることができる。ガラスのコア径が８０μｍの細径ＨＰＣＦを用いると、光ファイバ心線２２が小径に曲げられても破断しにくい。
複数の光ファイバ心線２２をテープ化せず単心のままインナーチューブ２３内に収容することもできるが、テープ化されていると、単心の光ファイバ心線２２同士が交差して側圧がかかることによるマイクロベンドロスの発生を防ぐことができる。なお、光ファイバテープ心線２１は複数本設けられていても良い。
【００１８】
インナーチューブ２３は、ノンハロゲン難燃性樹脂である例えばＰＶＣ（Polyvinylchloride）などの絶縁樹脂からなる。インナーチューブ２３は、例えば、外径が２．０ｍｍ、厚さが０．５５ｍｍである。
介在層２４は、例えば極細径のアラミド繊維であり、束状に集合された状態で光ケーブル２０に内蔵されている。介在層２４は光ケーブル２０における抗張力機能を有する。
【００１９】
金属層２５は、例えば複数本の錫めっき導線を編組したものであり、放熱層としての機能を有する。金属層２５の編組密度は７０％以上、編み角度が４５°〜６０°である。金属層２５を構成する金属素線の外径は、０．０５ｍｍ程度である。金属層２５の熱伝導率は、例えば４００Ｗ／ｍ・Ｋである。金属層２５は、熱伝導を良好に確保するために高密度に配置することが好ましく、一例としては平角線の錫めっき導線で構成されていることが好ましい。
外被２６は、例えばポリオレフィンなどの絶縁樹脂から形成されている。外被２６は、例えば、外径が４．２ｍｍ、厚さが０．５ｍｍである。
このような構成の光ケーブル２０は、光ファイバ心線２２の側圧特性と、ケーブルとしての柔軟性に優れ、さらに、放熱性にも優れている。
【００２０】
図１に示すように、コネクタモジュール３０は、ハウジング３１と、ハウジング３１の前端（図１において左端）側に設けられる電気コネクタ３２と、ハウジング３１に収容される回路基板（基板）３３（図３参照）とを備えている。
【００２１】
図３および図４に示すように、ハウジング３１は、金属ハウジング３１１と、樹脂ハウジング３１２とから構成されている。また、金属ハウジング３１１の後端部には、光ケーブル２０を保持固定する固定部材（光ケーブル保持部）３５が取り付けられている。固定部材３５は、光ケーブル２０内の光ファイバテープ心線２１を構成する複数の光ファイバ心線２２を含む平面の光ケーブル２０の中心軸回りの角度（以後、「並列方向」という。）が、ハウジング３１側で単心に分離された光ファイバ心線２２の端部２２１の並列方向と平行となるように保持固定する。
【００２２】
金属ハウジング３１１は、下向きに開口した断面コ字形状の収容部本体３１１ａと、上向きに開口した断面コ字形状のベースプレート３１１ｂとを有し、回路基板３３などを収容する内部空間Ｓを形成する。また、金属ハウジング３１１の前端側には電気コネクタ３２が設けられており、金属ハウジング３１１の後端側には、固定部材３５が取り付けられている。本実施形態では、金属ハウジング３１１は、鋼（Ｆｅ系）、ブリキ（錫めっき銅）、ステンレス、銅、真鍮、アルミなどの熱伝導率の高い（好ましくは１００Ｗ／ｍ・Ｋ以上）金属材料により形成されており、回路基板３３などから発生する熱を外部に放熱させる役割を担う。
【００２３】
固定部材３５は、板状の基部３５１と、円筒形状の筒部３５２と、を有する。固定部材３５の周囲には、ブーツ３６（図１参照）が設けられている。このブーツ３６は、樹脂ハウジング３１２に接続されている。筒部３５２は、略円筒形状をなしており、基部３５１から後方に突出するように設けられている。筒部３５２は、基部３５１の両側から後方に延出するカシメリング３５３（図３参照）との間で光ケーブル２０の一部（外被２６および金属層２５）を保持する。これにより、光ケーブル２０内の光ファイバテープ心線２１を構成する複数の光ファイバ心線２２の並列方向が、回路基板３３における後述の実装面３３１と平行となるように保持固定される。
【００２４】
固定部材３５を用いて光ケーブル２０を保持する手順は例えば以下のとおりである。すなわち、まず、光ケーブル２０の端面から一定の長さまで外被２６を剥いで内側の金属層２５を露出させた後、光ケーブル２０の介在層２４、インナーチューブ２３、および光ファイバテープ心線２１を筒部３５２の内部に挿通させるとともに、外被２６および金属層２５を筒部３５２の外周面に沿って配置する。ここで、光ファイバテープ心線２１は、そのテープ面が回路基板３３における後述の実装面３３１と平行となるように筒部３５２の内部に挿通させる。また、図４および図５に示すように、外被２６の端面から延出している金属層２５の余長部分を外被２６の端面で折り返して外被２６の外面に沿わせる。
【００２５】
次に、基部３５１の両側から延出するカシメリング３５３を筒部３５２側に圧接するようにかしめる。これにより、図４および図５に示すように、外被２６および金属層２５が筒部３５２とカシメリング３５３との間に挟持され、結果として固定部材３５により光ケーブル２０が保持固定される。なお、上記のように光ケーブル２０を固定部材３５に固定した状態でさらに接着することが望ましい。
【００２６】
なお、金属層２５の端部は、基部３５１の一面（後面）に半田付けされてもよい。これにより、固定部材３５と金属層２５とは、熱的に接続されている。また、本例では、金属ハウジング３１１の後端部に固定部材３５が結合されている。したがって、金属ハウジング３１１と固定部材３５とは物理的且つ熱的に接続されている。そして、光ケーブル２０の金属層２５も固定部材３５を介して金属ハウジング３１１と熱的に接続されている。
【００２７】
樹脂ハウジング３１２は、例えばポリカーボネートなどの樹脂材料から形成されており、金属ハウジング３１１を覆っている。
ブーツ３６は、樹脂ハウジング３１２の後端部に連結され、金属ハウジング３１１の後端部に取り付けられた固定部材３５を覆っている。ブーツ３６の後端部と光ケーブル２０の外被２６とは、接着剤（図示しない）により接着される。
【００２８】
電気コネクタ３２は、接続対象（パソコンなど）に挿入され、接続対象と電気的に接続される部分である。電気コネクタ３２は、ハウジング３１の前端（図４において左端）側に配置されており、ハウジング３１から前方に突出している。電気コネクタ３２は、接触子３２１（図７参照）により回路基板３３に電気的に接続されている。
【００２９】
回路基板３３は、金属ハウジング３１１の内部空間Ｓに収容されている。図７に示すように、回路基板３３には、制御用半導体３８と、受発光素子３９とが搭載されている。回路基板３３は、制御用半導体３８と受発光素子３９とを電気的に接続している。回路基板３３は、平面視で略矩形形状を呈しており、所定の厚みを有している。回路基板３３は、例えば、ガラスエポキシ基板、セラミック基板などの絶縁基板であり、その表面又は内部には、金（Ａｕ）、アルミ（Ａｌ）又は銅（Ｃｕ）などにより回路配線が形成されている。制御用半導体３８と受発光素子３９とは、光電変換部を構成している。なお、回路基板３３と金属ハウジング３１１との間には、放熱シート４３（図３参照）が配置されている。
【００３０】
制御用半導体３８は、駆動ＩＣ（Integrated Circuit）３８１や波形整形器であるＣＤＲ（Clock Data Recovery）装置３８２などを含んでいる。制御用半導体３８は、回路基板３３において、実装面３３１の前端側に配置されている。制御用半導体３８は、電気コネクタ３２と電気的に接続されている。
【００３１】
受発光素子３９は、複数（ここでは２つ）の発光素子３９１（図５および図７参照）と、複数（ここでは２つ）の受光素子３９２とを含んで構成されている。発光素子３９１及び受光素子３９２は、回路基板３３において、実装面３３１の後端側に配置されている。発光素子３９１としては、例えば、発光ダイオード（ＬＥＤ：Light Emitting Diode）、レーザダイオード（ＬＤ：Laser Diode）、面発光レーザ（ＶＣＳＥＬ：Vertical Cavity Surface Emitting LASER）などを用いることができる。受光素子３９２としては、例えば、フォトダイオード（ＰＤ：Photo Diode）などを用いることができる。
【００３２】
受発光素子３９は、光ケーブル２０の光ファイバ心線２２と光学的に接続されている。具体的には、図７（Ｂ）に示すように、回路基板３３に、受発光素子３９及び駆動ＩＣ３８１を覆うようにレンズアレイ部品４１が配置されている。また、レンズアレイ部品４１には、コネクタ部品４２が位置決め固定されている。このコネクタ部品４２には、光ファイバテープ心線２１から単心に分離された複数（本例では４本）の光ファイバ心線２２の末端部が固定されている。より具体的には、コネクタ部品４２に設けられた複数（本例では４つ）の貫通穴４２２の各々に１本ずつ挿し込まれた光ファイバ心線２２の末端部が、コネクタ部品４２の表面に設けられた凹部４２３において接着固定されている。なお、光ファイバ心線２２の端部２２１における少なくともコネクタ部品４２の貫通穴４２２に挿し込まれている部分は、被覆樹脂が取り除かれて光ファイバが露出している。
【００３３】
ところで、本実施形態では、図６に示すように、コネクタ部品４２に設けられた貫通穴４２２のピッチは、光ファイバテープ心線２１における光ファイバ心線２２の並列方向のピッチよりも広くなっている。したがって、コネクタ部品４２に接着固定された光ファイバ心線２２の末端部の並列方向のピッチは、光ファイバテープ心線２１における光ファイバ心線２２の並列方向のピッチよりも広くなっている。このようにして、光ファイバのピッチは、回路基板３３に実装された受発光素子３９の配列ピッチ、及び、これと同等のピッチに配列されたレンズアレイ部品４１の各レンズ面４１２のピッチに、容易に変換される。
【００３４】
レンズアレイ部品４１は、コネクタ部品４２との対向面上に形成された複数のレンズ面４１２と、上面中央部に幅方向に沿って形成された反射面４１１とを有する。発光素子３９１において発光した光は、反射面４１１によって反射されてレンズ面４１２によって、コネクタ部品４２に固定された対応する光ファイバ心線２２の端面に光結合される。また、光ファイバ心線２２の端面から出射した光は、対応するレンズ面４１２からレンズアレイ部品４１に入射し、反射面４１１によって反射されて受光素子３９２において受光される。すなわち、コネクタ部品４２に固定された複数の光ファイバ心線２２と、受発光素子３９とは、レンズアレイ部品４１を介して光学的に接続されている。なお、レンズアレイ部品４１に形成された複数のレンズ面４１２は、入射光を平行光とし、平行光を集光して出射するコリメートレンズであることが好ましい。このようなレンズアレイ部品４１は、樹脂の射出成形により、一体に構成することができる。
【００３５】
ところで、本実施形態に係る光モジュール１０では、図４および図５に示すように、コネクタ部品４２に取り付けられる複数の分離された光ファイバ心線２２の端部並列方向は、固定部材３５側の光ファイバテープ心線２１における並列方向と同じに設定する。さらに、複数の分離された光ファイバ心線２２の並列方向は、回路基板３３の実装面３３１と平行にするのが望ましい。
すなわち、分離された光ファイバ心線２２は、固定部材３５からコネクタ部品４２までの間に、上方へ傾斜し、その後水平に配策されるが、水平部分のみならず傾斜部分においても、分離された光ファイバ心線２２を含む平面を回路基板３３の実装面３３１と平行にする。従って、図４および図５に示すように、複数の光ファイバ心線２２を側方から見ると、重なって見える。
【００３６】
また、本実施形態では、図６に示すように、コネクタ部品４２に固定される複数の光ファイバ心線２２の端部２２１の並列方向のピッチは、光ファイバテープ心線２１における光ファイバ心線２２のピッチと異なる。
より具体的には、コネクタ部品４２に固定される複数の光ファイバ心線２２の端部２２１の並列方向のピッチは、光ファイバテープ心線２１における光ファイバ心線２２のピッチよりも大きく、回路基板３３に実装された受発光素子３９の配列ピッチ、及び、これと同等のピッチに配列されたレンズアレイ部品４１の各レンズ面４１２のピッチに一致するように構成されている。
【００３７】
従って、光モジュール１０を組み立てる際は、まず、光ファイバテープ心線２１における複数の光ファイバ心線２２の並列方向が、回路基板３３の実装面３３１と平行となるように光ケーブル２０の位置を調整した後、固定部材３５で光ケーブル２０を保持固定する。
【００３８】
次いで、光ファイバテープ心線２１から複数の光ファイバ心線２２の端部２２１を単心に分離し、分離された端部２２１の並列方向が光ファイバテープ心線２１の並列方向と平行となるように、コネクタ部品４２に接着固定する。すなわち、分離された端部２２１の並列方向も、回路基板３３の実装面３３１と平行となるようにその位置を調整してからコネクタ部品４２に接着固定する。
【００３９】
その後、複数の分離された端部２２１をレンズアレイ部品４１と光学的に接続する。すなわち、複数の光ファイバ心線２２の端面が並列方向に沿って揃うように、コネクタ部品４２の端面４２１（図６および図７参照）からはみ出した光ファイバ心線２２をカットして端部２２１の長さを調整する。具体的には、例えば、光ファイバ心線２２の端部２２１をコネクタ部品４２に接着固定した後、コネクタ部品４２の端面を研磨するか、それぞれの光ファイバ心線２２の端面を研磨して、複数の光ファイバ心線２２の端面とコネクタ部品４２の端面とを一致させる。そして、コネクタ部品４２とレンズアレイ部品４１を、位置決めピン４１３を用いて係合させる。なお、複数の光ファイバ心線２２の端面とコネクタ部品４２の端面とを一致させる方法については、上記に限定されない。例えば、光ファイバ心線２２の先端部をコネクタ部品４２の端面から突き出させた状態で光ファイバ心線２２をコネクタ部品４２に接着固定した後、コネクタ部品４２の端面から突き出た光ファイバ心線２２の先端部に集光レーザを照射する等の方法により当該先端部を切断し、光ファイバ心線２２の端部２２１がコネクタ部品４２の端部と一致しないように構成しても良い。このように、複数の光ファイバ心線２２の端面が並列方向に沿って揃うようにそれぞれの光ファイバ心線２２の端部２２１をコネクタ部品４２に固定することにより、それぞれの光ファイバ心線２２間における光路長に差異が生じることを防ぐことができる。
【００４０】
以上に説明したように、光モジュール１０では、電気コネクタ３２から電気信号を入力し、回路基板３３の配線を介して制御用半導体３８が電気信号を受信する。制御用半導体３８に入力された電気信号は、レベルの調整やＣＤＲ装置３８２により波形整形などが行われた後に、制御用半導体３８から回路基板３３の配線を介して受発光素子３９に出力される。電気信号が入力された受発光素子３９では、電気信号を光信号に変換し、発光素子３９１から光ファイバ心線２２に光信号を出射する。
【００４１】
また、光ケーブル２０で伝送された光信号は、受光素子３９２により入射される。受発光素子３９では、入射された光信号を電気信号に変換し、この電気信号を回路基板３３の配線を介して制御用半導体３８に出力する。制御用半導体３８では、電気信号に所定の処理を施した後、電気コネクタ３２にその電気信号を出力する。
【００４２】
以上のように、本発明の実施形態に係る光モジュール１０によれば、複数の光ファイバ心線２２は、単心に分離された端部２２１の並列方向と、固定部材３５側の光ファイバテープ心線２１における並列方向と、が平行となるように配置されている。
このため、テープ状に一体化された複数の光ファイバ心線２２の端部２２１を切り離してコネクタ部品４２に固定する際に、光ファイバ心線２２が上下左右にずれて捩れるのを防止できるので、各光ファイバ心線２２間で光路長がばらつくのを防ぐことができる。また、光ファイバ心線２２が上下にずれて，回路基板３３等と干渉するのを防止できる。
【００４３】
また、複数の光ファイバ心線２２の単心に分離された端部２２１の並列方向におけるピッチが、光ファイバテープ心線２１の並列方向におけるピッチと異なる場合には、単心に分離された端部２２１の並列方向と、固定部材３５側の光ファイバテープ心線２１における並列方向と、が平行となるように配置することが一層効果的である。
【００４４】
また、光ファイバ心線２２の配列方向が、ハウジング３１の内部空間Ｓに設けられてレンズアレイ部品４１が実装されている回路基板３３の実装面３３１と平行である場合には、複数の光ファイバ心線２２の端部２２１をコネクタ部品４２に固定する際に、光ファイバ心線２２が上下左右にずれにくいので、各光ファイバ心線２２間で光路長がばらつくのを防ぐことができる。
【００４５】
また、光ファイバテープ心線２１における複数の光ファイバ心線２２の並列方向が、分離された端部２２１の並列方向と平行となるように光ケーブル２０が固定部材３５に保持固定されている。したがって、コネクタモジュール３０に対して光ケーブル２０が回転しにくいので、光ファイバテープ心線２１における各光ファイバ心線２２の並列方向と分離された端部２２１の並列方向とが平行な状態が保たれる。ゆえに、光ファイバ心線２２が上下左右にずれにくく、各光ファイバ心線２２間で光路長がばらつくのを防ぐことができる。
【００４６】
また、単心に分離された複数の光ファイバ心線２２の端部２２１が固定されるとともにレンズアレイ部品４１と係合されるコネクタ部品４２をさらに備えることにより、光ファイバ心線２２が上下左右にずれにくいので、各光ファイバ心線２２間で光路長がばらつくのを防ぐことができる。
【００４７】
また、以上に説明した本発明の実施形態に係る光モジュールの組立方法によれば、光ファイバテープ心線２１における複数の光ファイバ心線２２の並列方向が、一の方向となるように固定部材３５で光ケーブル２０を保持した後、複数の光ファイバ心線２２の端部２２１を光ファイバテープ心線２１から単心に分離する。そして、複数の光ファイバ心線２２の分離された端部２２１の並列方向が、光ファイバテープ心線２１の並列方向と平行となるように、端部２２１をレンズアレイ部品４１と光学的に接続する。
これにより、光ファイバ心線２２が上下左右にずれにくいので、各光ファイバ心線２２間で光路長がばらつくのを防ぐことができる。
【００４８】
なお、本発明の光モジュールおよび光モジュールの組立方法は、前述した各実施形態に限定されるものでなく、適宜な変形、改良等が可能である。
【符号の説明】
【００４９】
１０：光モジュール、２０：光ケーブル、２１：光ファイバテープ心線、２２：光ファイバ心線（光ファイバ）、２２１：端部、２３：インナーチューブ、２４：介在層、２４１：抗張力繊維、２５：金属層、２６：外被、３０：コネクタモジュール（コネクタ部）、３１：ハウジング、３１１：金属ハウジング、３１１ａ：収容部本体、３１１ｂ：ベースプレート、３１２：樹脂ハウジング、３２：電気コネクタ、３３：回路基板（基板）、３３１：実装面、３５：固定部材（光ケーブル保持部）、３５１：基部、３５２：筒部、３５３：カシメリング、３５４：開口、３６：ブーツ、３８：制御用半導体、３８１：駆動ＩＣ、３８２：ＣＤＲ装置、３９：受発光素子、３９１：発光素子、３９２：受光素子、４１：レンズアレイ部品（光素子）、４１１：反射面、４１２：レンズ面、４１３：位置決めピン、４２：コネクタ部品（光ファイバ固定部）、４２１：端面、４２２：貫通穴、４２３：凹部、Ｓ：内部空間
【図１】
2013137397.tif 000003
【図２】
2013137397.tif 000004
【図３】
2013137397.tif 000005
【図４】
2013137397.tif 000006
【図５】
2013137397.tif 000007
【図６】
2013137397.tif 000008
【図７】
2013137397.tif 000009